(57)【要約】【課題】  メガネのフロント部両側に取付けたツルが何時までもガタ付くことなく開閉操作が出来るツル継手構造の提供。【解決手段】  フロント部両側のヨロイ部７，７には二つ折りした上側片１２と下側片１３から成る継手部１１を取着し、該継手部１１は形状記憶合金で構成して常温下では上側片１２と下側片１３とで弾性力を付勢して基部１５を挟み込み、上側片１２には上軸１７を突出すると共に下側片１３には下軸１８を突出し、これら上下軸を基部１５に設けた軸穴１６に嵌めて軸支している。【選択図】    図２
2007240680.tif 000002
【特許請求の範囲】
【請求項１】
メガネのフロント部両側に折畳み出来るようにツルを取付ける継手構造において、フロント部両側のヨロイには二つ折りした上側片と下側片から成る継手部をカシメやロウ付けなどにて取着し、該継手部は形状記憶合金で構成して常温下では上側片と下側片とで弾性力を付勢してツルの基部を挟み込み、上側片には上軸を突出すると共に下側片には下軸を突出し、これら上下軸を基部に設けた軸穴に嵌めて軸支したことを特徴とするメガネのツル継手構造。
【請求項２】
メガネのフロント部両側に折畳み出来るようにツルを取付ける継手構造において、フロント部両側のヨロイには二つ折りした上側片と下側片から成る継手部をカシメやロウ付けなどにて取着し、該継手部は形状記憶合金で構成して常温下では上側片と下側片とで弾性力を付勢してツルの基部を挟み込み、上側片には上軸穴を形成すると共に下側片には下軸穴を設け、これら上下軸穴には基部に設けた上軸と下軸を嵌めて軸支したことを特徴とするメガネのツル継手構造。
【請求項３】
上記基部の先端にはツルが開いた際にヨロイ先端に当るストッパーを形成した請求項1、又は請求項2記載のメガネのツル継手構造。
【請求項４】
上記継手部の材質をステンレスや合金バネ材等とし、上側片と下側片にてツルの基部を挟み込んで弾性力を付勢した請求項１、請求項２、又は請求項３記載のメガネのツル継手構造。
【請求項５】
上記継手部をヨロイと一体化した請求項１、請求項２、請求項３、又は請求項４記載のメガネのツル継手構造。
【請求項６】
ツルの基部を挟み込む上側片と下側片の間にはワッシャを介在した請求項１、請求項２、請求項３、請求項４、又は請求項５記載のメガネのツル継手構造。
【発明の詳細な説明】
【技術分野】
【０００１】
本発明はメガネのフロント部両サイドに取付けてツルが何時までもガタ付くことなく折畳み出来るように連結した継手構造に関するものである。
【背景技術】
【０００２】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルを連結している蝶番は非常に小さくなっていて、長いツルを支えるには大きな負担がかかる。従って、開閉操作に伴って蝶番の摺動面は摩耗し、ツルはガタ付きを生じて掛けているメガネが位置ズレするなど安定性が損われる。
【０００３】
特に近年のメガネフレームは軽くてバネ性に優れた材質が好まれる為に、この要求を満たす材質としてチタン材が多用されている。そして、蝶番もチタン製とされる場合が多く、このチタン製蝶番ではその摺動面の摩耗が特に著しい。そしてチタン製蝶番では切削加工された摺動面が鋳物のように微細な凹凸面となっていて、すなわち滑らかな面でないことから、ツルの折畳み操作に際してキシミを発生し、滑らかな折畳み操作が出来ない。すなわち、滑らかな摺動が得られない為である。
【０００４】
そこで、従来ではこの小さな蝶番の摺動面にワッシャを介在することで滑らかな摺動をもたらし、磨耗を防止する対策が講じられている。特開２００４−１３８７１８号に係る「メガネフレームのツル折畳み継手及び蝶番並びにワッシャ」は、互いに噛み合う一方の蝶片コマの軸穴にワッシャの筒部を嵌入し、該筒部に別のワッシャの筒部を嵌めて他方の蝶片コマと軸ネジを介して組み付けしている。しかし、小さな蝶番にさらに小さなワッシャを取付けて組付ける作業は容易でなく、生産性が悪くなる。勿論、製作コストは高く成ってしまう。
【０００５】
又、特開２００２−２０７１９８に係る「メガネフレームのツル継手構造」は、ヨロイ先端には軸受けを備えると共に軸受けの軸穴には円形ツバを形成した軸を回転可能に嵌め、そして軸にはツルを連結して軸穴から外側に貫通したスライド溝に沿ってツルは開閉することが出来、スライド溝を形成するガイド片の一部にはツルが挿通する大きさの切欠き部を有し、そして軸部の外周面には押圧部を当接してバネ力を付勢した構造となっている。従って、ツルは折畳み操作に際してガタ付くことはないが、しかし構造が複雑になり、コストは必然的に高く成ってしまう。
【特許文献１】特開２００４−１３８７１８号に係る「メガネフレームのツル折畳み継手及び蝶番並びにワッシャ」
【特許文献２】特開２００２−２０７１９８に係る「メガネフレームのツル継手構造」
【発明の開示】
【発明が解決しようとする課題】
【０００６】
このように、従来のツル継手構造には上記のごとき問題がある。本発明が解決しようとする課題はこれら問題点であり、極めて簡単な構造であって製作並びに組付けコストも安くなり、さらにツルが何時までもガタ付くことなく安定した折畳み操作を持続することが出来るメガネフレームのツル継手構造を提供する。
【課題を解決するための手段】
【０００７】
本発明に係るツル継手構造は、ヨロイ先端に設けた継手部にツルの基部を挟み込んだ構造としている。すなわち、継手部は上側片と下側片とが二つ折りして構成され、上側片と下側片とで基部が挟まれる。ここで、継手部は形状記憶合金が用いられ、常温ではツルの基部に弾性力が付勢された状態で挟まれている。又はステンレス材や合金バネ材にて継手部を構成することも可能であり、いずれの材質からなる継手部であっても基部に弾性力を付勢した状態で挟み込んだ構造としている。
【０００８】
ツル基部には軸穴が設けられ、二つ折りした上側片と下側片には軸が突出して設けられている。そして軸は基部の軸穴に嵌って軸支されるが、逆に上側片及び下側片に軸穴を形成し、基部側には軸を設けることも出来る。二つ折りされた形状記憶合金製の継手部は加熱されることで、又は冷却されることで軟らかくなり、開口を開いて基部を間に挟み込んでツルが取付けられる。そして、二つ折りされた継手部の一部又はヨロイ部先端がストッパーとして機能し、ツルが開く際の開き度が規制される。そして、ツルの基部を挟み込む上側片と下側片の間にはワッシャを介在することもある。
【発明の効果】
【０００９】
本発明に係るツル継手構造は、ツルの基部がヨロイ側に設けた継手部に挟まれる構造となっている。そして、二つ折りされた継手部の上側片と下側片に突出した軸が基部に設けた軸穴に嵌って軸支され、ツルは軸を中心に旋回して開閉することが出来る。継手部は形状記憶合金などを材質としているために、常温では基部を挟み込んで弾性力を付勢した状態とし、従ってツルは何時までもガタ付くことなく折畳み操作が可能と成る。
【００１０】
すなわち、基部の摺動面及び継手部の摺動面が多少摩耗しても該基部を挟み込む弾性力が大きく低下することはない。形状記憶合金からなって二つ折りした継手部を加熱したり、逆に冷却するならば、該継手部は軟らかくなって開口から基部を間に挟みこむことが出来、ツルの取付け作業も至って簡単である。勿論、構造も簡素化されることでコストは安くなる。
【実施例】
【００１１】
図１は本発明に係るツル継手構造を備えているメガネを表している。同図に示すメガネはレンズ１の上側に位置するハーフリム部2と下側に張設した水糸３にて該レンズ１を保持した構造であり、一般にナイロールフレームを称されている。ハーフリム部２，２は中央に連結部４を設け、外側にはヨロイ部７，７を設けて連続し、連結部4の背面側には補助連結部5が重なり合って中央部の強度を高くしている。
【００１２】
補助連結部５は両側にアーム６，６を延ばした概略門形を成し、アーム先端とヨロイ部7に水糸３の先端を固定してレンズ1が保持されている。そして、上記アーム6には湾曲した脚8をロウ付けし、該脚先端には鼻当てパット9を取付けている。そして、このように構成しているメガネのフロント部の両側となるヨロイ部7，7には継手部１１，１１を介してツル１０，１０が折畳み出来るように取付けられている。
【００１３】
ところで、ヨロイ部７の先端には上記継手部１１が固定され、この継手部１１にツル１０が取付けられる。該継手部１１はヨロイ部7の先端にピン１４を穴に挿通してカシメ、その後ロウ付けした取着構造となっている。そして、この継手部１１にツル１０が取付けられているが、該継手部１１は上側片と下側片の二つ折り形態と成っていて、ツル１０の基部は上側片と下側片とで挟み込まれた継手構造を構成している。
【００１４】
図２はツル継手構造を表している実施例である。継手部１１は二つ折りされて上側片１２と下側片13を有し、上側片１２は長く成っていてヨロイ部7の先端とピン１４にてカシメられ、しかも動かないようにロウ付けされている。従って、継手部１１はヨロイ部7の先端に固定された状態にある。
【００１５】
そして、この継手部１１にはツル１０の基部１５が回転出来るように連結され、その為に、上側片１２と下側片１３とで基部１５が挟み込まれている。しかし、挟まれただけの状態では継手部１１から基部１５は離脱する為に、基部１５に設けた軸穴１６には上側片１２から突出した上軸１７が嵌り、下側片１３から突出した下軸１８が嵌っている。
【００１６】
従って、基部１５は継手部１１から離脱することはなく、上軸１７及び下軸１８を中心として回転し、ツル１０はスムーズに開閉することが出来る。そして、基部１５の先端にはストッパー１９が形成され、このストッパー１９はヨロイ部７の先端に当って停止し、ツル１０の開き度が規制される。
【００１７】
図３は継手部１１を単独で表しているが、この材質は形状記憶合金が使用され、常温では同図に示すように下側片１３は上側片１２の側へ僅かに寄っていて、開口２０にツル１０の基部１５を挟むことは出来ない。すなわち、この状態で記憶されていて、該継手部１１を一定以上の高温に加熱することで、又は一定以下の温度に冷却することで軟らかくなり、開口２０を開くことが出来る。
【００１８】
従って、継手部１１を軟らかくした状態で基部１５を簡単に挟んで、軸穴１６には上軸１７と下軸１８を嵌めることが出来る。そして、該継手部１１が常温になるならば、図３の状態に復元する弾性力(バネ力)が発生し、この弾性力によって基部１５は挟み込まれる。従って、基部１５と上側片１２及び下側片１３との間に隙間が発生することはなく、ツル１０の開閉操作に際してガタ付くこともない。使用に伴って多少摩耗しても、弾性力が低下して隙間が生じることもない。
【００１９】
図４は本発明に係るツル継手構造を備えた他のメガネを表している。メガネとしての基本形態は前記図1に示したものと同じであるが、フロント部を構成する両ハーフリム２１，２１は連結部材２２によって連結されている。ただし、ヨロイ部７，７はハーフリム２１，２１の外側に連続して形成されている。
【００２０】
ところで、継手部１１はヨロイ先端にロウ付けされていて、前記図３に示した継手部１１と同じように、形状記憶合金を材質として二つ折りされて上側片１２と下側片１３を有している。ここで、ヨロイ部７に継手部１１をロウ付けするに際して下地メッキが施される。そして、上側片１２と下側片１３とでツル１０の基部１５が挟み込まれ、ガタ付かないように弾性力が付勢された状態にある。
【００２１】
図２に示した継手構造と同じく、構造継手部１１の上側片１２には上軸１７が突出して設けられ、下側片１３には下軸１８が突出して設けられていて、ツル基部１５の軸穴１６にこれら上軸１７及び下軸１８が嵌って軸支されている。一方、図５に示すように、継手部１１の上側片１２に上軸穴２３を形成し、下側片１３に下軸穴２４を形成することも出来、基部１５の上面及び下面に設けた上軸２５と下軸２６を上下軸穴２３，２４に嵌めることで軸支する場合もある。ここで、上軸２５及び下軸２６は基部の穴にピンを圧入して上下面に突出することも出来る。
【００２２】
ところで、上記継手部１１の材質としては一般に形状記憶合金が用いられるが、バネ性に優れたステンレス材や合金バネ材を使用することも可能である。形状は前記図３に示しているように上側片１２と下側片１３を有し、開口２０を開いた上体でツルの基部１５を嵌めることが出来る。勿論、ステンレス製の継手部１１であるならば、上側片１２と下側片１３を押し開いて該基部１５が嵌められる。そして、基部１５と上側片１２及び下側片１３の間にワッシャを介在することも出来る。
【図面の簡単な説明】
【００２３】
【図１】本発明の継手構造を備えたメガネ。
【図２】本発明に係るツル継手構造を示す実施例。
【図３】継手構造を構成する継手部の具体例。
【図４】本発明の継手構造を備えたメガネ。
【図５】本発明に係るツル継手構造を示す他の実施例。
【符号の説明】
【００２４】
１  レンズ
２  ハーフリム部
３  水糸
４  連結部
５  補助連結部
６  アーム
７  ヨロイ部
８  脚
９  鼻当てパット
10  ツル
11  継手部
12  上側片
13  下側片
14  ピン
15  基部
16  軸穴
17  上軸
18  下軸
19  ストッパー
20  開口
21  ハーフリム
22  連結部材
23  上軸穴
24  下軸穴
25  上軸
26  下軸
【図１】
2007240680.tif 000003
【図２】
2007240680.tif 000004
【図３】
2007240680.tif 000005
【図４】
2007240680.tif 000006
【図５】
2007240680.tif 000007